【手続補正書】
【提出日】平成28年7月12日(2016.7.12)
【手続補正１】
【補正対象書類名】特許請求の範囲
【補正対象項目名】全文
【補正方法】変更
【補正の内容】
【特許請求の範囲】
【請求項１】
装置であって、
第１のＲＦ送信及び第２のＲＦ送信をアンテナに結合するように構成された誘導子及びキャパシタと、
前記第１のＲＦ送信を前記アンテナから送信するときにマッチングネットワークを形成するために前記誘導子を前記キャパシタに接続するように構成された少なくとも１つのスイッチと、を備え、
前記キャパシタは、前記アンテナに接続された第１のキャパシタ端子を有し、前記少なくとも１つのスイッチは、前記第２のＲＦ送信を前記アンテナから送信するときに並列共振回路を形成するために第１の誘導子端子を前記第１のキャパシタ端子に直接接続するように構成される、装置。
【請求項２】
前記少なくとも１つのスイッチは、前記マッチングネットワークを形成するために前記誘導子を前記キャパシタに直列に接続するように構成される請求項１に記載の装置。
【請求項３】
前記少なくとも１つのスイッチは、前記並列共振回路を形成するために前記誘導子を前記キャパシタに並列に接続するように構成される請求項１に記載の装置。
【請求項４】
送信モード信号に基づいて前記少なくとも１つのスイッチを制御するように構成されたコントローラをさらに備える請求項１に記載の装置。
【請求項５】
前記誘導子は、変圧器の出力誘導子を備え、前記変圧器は、前記第１のＲＦ送信を差動信号として受信するように構成される請求項１に記載の装置。
【請求項６】
前記誘導子は、前記第１のＲＦ送信をシングルエンド信号として受信するように構成される請求項１に記載の装置。
【請求項７】
前記第１のＲＦ送信は、Ｂｌｕｅｔｏｏｔｈ（登録商標）（ＢＴ）送信を備え、前記第２のＲＦ送信は、無線ローカルエリアネットワーク（ＷＬＡＮ）送信を備える請求項１に記載の装置。
【請求項８】
前記少なくとも１つのスイッチは、
前記誘導子の前記第１の誘導子端子に接続され、前記第１の誘導子端子を選択的にアースに接続するように動作可能な第１のスイッチであって、前記誘導子は、第２の誘導子端子が前記キャパシタの第２のキャパシタ端子に接続されている第１のスイッチと、
前記第１の誘導子端子に接続され、前記第１の誘導子端子を前記キャパシタの前記第１のキャパシタ端子に及び前記アンテナに選択的に接続するように動作可能である第２のスイッチと、
前記第２の誘導子端子に接続され、前記第２の誘導子端子を前記アースに選択的に接続するように動作可能である第３のスイッチと、を備える請求項１に記載の装置。
【請求項９】
前記第１、第２及び第３のスイッチは、前記マッチングネットワークを形成するために直列に及び前記並列共振回路を形成するために並列に前記誘導子を前記キャパシタに接続するように構成される請求項８に記載の装置。
【請求項１０】
前記第１、第２及び第３のスイッチは、前記アンテナから第３のＲＦ送信を受信するときに前記並列共振回路を形成するために前記誘導子を前記キャパシタに並列に接続するように構成される請求項８に記載の装置。
【請求項１１】
送信モード信号に基づいて前記第１、第２、及び第３のスイッチを選択的に開閉するように構成されたコントローラをさらに備える請求項８に記載の装置。
【請求項１２】
方法であって、
送信モードインジケータを受信することと、
前記送信モードインジケータによって第１の送信モードが示された場合は、アンテナから第１のＲＦ信号を送信するためにマッチングネットワークを形成することと、
前記送信モードインジケータによって第２の送信モードが示された場合は、前記アンテナから第２のＲＦ信号を送信するために前記マッチングネットワークを並列共振回路に切り換えることと、を備え、
前記第１のＲＦ信号および前記第２のＲＦ信号は、前記マッチングネットワークの異なるノードに入力される、方法。
【請求項１３】
前記形成することは、前記マッチングネットワークを形成するために誘導子をキャパシタに直列に接続することを備える請求項１２に記載の方法。
【請求項１４】
前記切り換えることは、前記並列共振回路を形成するために前記誘導子を前記キャパシタに並列に接続することを備える請求項１３に記載の方法。
【請求項１５】
第３の送信モードが希望される場合に、前記アンテナから第３のＲＦ送信を受信するために前記並列共振回路を利用することをさらに備える請求項１２に記載の方法。
【手続補正２】
【補正対象書類名】明細書
【補正対象項目名】００４０
【補正方法】変更
【補正の内容】
【００４０】
［００４６］開示される典型的な実施形態に関する説明は、当業者が本発明を製造又は使用することを可能にするために提供される。本発明に対する様々な修正は、当業者にとって容易に明確になるであろう、及びここにおいて定められる一般原理は、本発明の精神又は適用範囲を逸脱せずにその他の変形に対しても適用することができる。以上のように、本発明は、ここにおいて示される典型的な実施形態に限定されることが意図されるものではなく、ここにおいて開示される原理及び新規の特徴に一致する限りにおいて最も広範な適用範囲が認められるべきである。
以下に、出願当初の特許請求の範囲に記載された発明を付記する。
［Ｃ１］
装置であって、
第１のＲＦ送信をアンテナに結合するように構成された誘導子及びキャパシタと、
前記第１のＲＦ送信を前記アンテナから送信するときにマッチングネットワークを形成するために前記誘導子を前記キャパシタに接続するように、及び、第２のＲＦ送信を前記アンテナから送信するときに並列共振回路を形成するために前記誘導子を前記キャパシタに接続するように構成された少なくとも１つのスイッチと、を備える、装置。
［Ｃ２］
前記少なくとも１つのスイッチは、前記マッチングネットワークを形成するために前記誘導子を前記キャパシタに直列に接続するように構成されるＣ１に記載の装置。
［Ｃ３］
前記少なくとも１つのスイッチは、前記並列共振回路を形成するために前記誘導子を前記キャパシタに並列に接続するように構成されるＣ１に記載の装置。
［Ｃ４］
送信モード信号に基づいて前記少なくとも１つのスイッチを制御するように構成されたコントローラをさらに備えるＣ１に記載の装置。
［Ｃ５］
前記誘導子は、変圧器の出力誘導子を備え、前記変圧器は、前記第１のＲＦ送信を差動信号として受信するように構成されるＣ１に記載の装置。
［Ｃ６］
前記誘導子は、前記第１のＲＦ送信をシングルエンド信号として受信するように構成されるＣ１に記載の装置。
［Ｃ７］
前記第１のＲＦ送信は、Ｂｌｕｅｔｏｏｔｈ（ＢＴ）送信を備え、前記第２のＲＦ送信は、無線ローカルエリアネットワーク（ＷＬＡＮ）送信を備えるＣ１に記載の装置。
［Ｃ８］
前記少なくとも１つのスイッチは、
前記誘導子の第２の誘導子端子に接続され、前記第２の誘導子端子を選択的にアースに接続するように動作可能な第１のスイッチであって、前記誘導子は、第１の誘導子端子が前記キャパシタの第１のキャパシタ端子に接続されている第１のスイッチと、
前記第２の誘導子端子に接続され、前記第２の誘導子端子を前記キャパシタの第２のキャパシタ端子に及び前記アンテナに選択的に接続するように動作可能である第２のスイッチと、
前記第１の誘導子端子に接続され、前記第１の誘導子端子を前記アースに選択的に接続するように動作可能である第３のスイッチと、を備えるＣ１に記載の装置。
［Ｃ９］
前記第１、第２及び第３のスイッチは、前記マッチングネットワークを形成するために直列に及び前記並列共振回路を形成するために並列に前記誘導子を前記キャパシタに接続するように構成されるＣ８に記載の装置。
［Ｃ１０］
前記第１、第２及び第３のスイッチは、前記アンテナから第３のＲＦ送信を受信するときに前記並列共振回路を形成するために前記誘導子を前記キャパシタに並列に接続するように構成されるＣ８に記載の装置。
［Ｃ１１］
送信モード信号に基づいて前記第１、第２、及び第３のスイッチを選択的に開閉するように構成されたコントローラをさらに備えるＣ８に記載の装置。
［Ｃ１２］
方法であって、
送信モードインジケータを受信することと、
前記送信モードインジケータによって第１の送信モードが示された場合は、アンテナからの第１のＲＦ送信中にマッチングネットワークを形成することと、
前記送信モードインジケータによって第２の送信モードが示された場合は、前記アンテナからの第２のＲＦ送信中に前記マッチングネットワークを並列共振回路に切り換えることと、を備える、方法。
［Ｃ１３］
前記形成することは、前記マッチングネットワークを形成するために誘導子をキャパシタに直列に接続することを備えるＣ１２に記載の方法。
［Ｃ１４］
前記切り換えることは、前記並列共振回路を形成するために前記誘導子を前記キャパシタに並列に接続することを備えるＣ１３に記載の方法。
［Ｃ１５］
第３の送信モードが希望される場合に、前記アンテナから第３のＲＦ送信を受信するために前記並列共振回路を利用することをさらに備えるＣ１２に記載の方法。
［Ｃ１６］
装置であって、
送信モードインジケータを受信するための手段と、
前記送信モードインジケータによって第１の送信モードが示された場合は、アンテナからの第１のＲＦ送信中にマッチングネットワークを形成するための手段と、
前記送信モードインジケータによって第２の送信モードが示された場合は、前記アンテナからの第２のＲＦ送信中に前記マッチングネットワークを並列共振回路に切り換えるための手段と、を備える、装置。
［Ｃ１７］
形成するための前記手段は、前記マッチングネットワークを形成するために誘導子をキャパシタに直列に接続するための手段を備えるＣ１６に記載の装置。
［Ｃ１８］
切り換えるための前記手段は、前記並列共振回路を形成するために前記誘導子を前記キャパシタに並列に接続するための手段を備えるＣ１７に記載の装置。
［Ｃ１９］
前記送信モードインジケータによって第３の送信モードが示される場合に、前記アンテナから第３のＲＦ送信を受信するために前記並列共振回路を利用するための手段をさらに備えるＣ１６に記載の装置。
［Ｃ２０］
前記第１のＲＦ送信は、Ｂｌｕｅｔｏｏｔｈ（ＢＴ）送信を備え、前記第２のＲＦ送信は、無線ローカルエリアネットワーク（ＷＬＡＮ）送信を備えるＣ１６に記載の装置。